(57)【要約】【課題】簡単な操作でデータファイルを確実に送受信することができるデータ送受信システムを提供する。【解決手段】このデータ送受信システム５０は、ネットワーク４を介して接続され、夫々に固有の電話番号及びＩＰアドレスを有する少なくとも２つのＰＣ１、６と、ＳＩＰプロトコルを利用して、電話番号をＩＰアドレスと対応付けて保存するＩＰ電話サーバ９と、アクセスしたＰＣのＩＰアドレスに対応する電話番号をＩＰ電話サーバ９から取得し、取得した電話番号、ＰＣ１が送信する相手の電話番号、及び送信するデータをそれぞれ対応付けて保存するデータ保管サーバ８と、を備えている。【選択図】図１
2011180740.tif 000002
【特許請求の範囲】
【請求項１】
ネットワークを介して接続され、夫々に固有の電話番号及びＩＰアドレスを有する少なくとも２つの情報処理装置と、ＳＩＰプロトコルを利用して、前記電話番号を前記ＩＰアドレスと対応付けて保存するＩＰ電話サーバと、アクセスした前記情報処理装置のＩＰアドレスに対応する電話番号を前記ＩＰ電話サーバから取得し、該取得した電話番号、該情報処理装置が送信する相手の電話番号、及び送信するデータをそれぞれ対応付けて保存するデータ保管サーバと、を備えたデータ送受信システムであって、
データを送信する場合は、前記情報処理装置は前記データ保管サーバへアクセスすることにより表示されるデータ送受信用のホームページ画面に、送信相手の電話番号、及び送信すべきデータを入力し、
データを受信する場合は、前記情報処理装置は前記データ保管サーバへアクセスすることにより表示されるデータ送受信用のホームページ画面に、前記データを受信したい情報処理装置の電話番号を入力することを特徴とするデータ送受信システム。
【請求項２】
前記ＩＰ電話サーバは、ユーザごとの前記電話番号を前記ＩＰアドレスと対応付けて保存する電話帳データベースを備え、前記データ保管サーバは、アクセスした前記情報処理装置のＩＰアドレスに対応する電話番号を前記ＩＰ電話サーバから取得し、該取得した電話番号、該情報処理装置が送信する相手の電話番号、及び送信するデータファイルをそれぞれ対応付けて保存する保存情報データベースを備えたことを特徴とする請求項１に記載のデータ送受信システム。
【請求項３】
前記データ送受信用のホームページ画面は、データを送受信するための相手先電話番号を入力するテキストボックスと、前記データの送信又は受信を指示する送信ボタン、及び受信ボタンと、送受信ファイルを表示する送受信ファイルウインドウと、相手先メールアドレスを表示するテキストボックスと、を少なくとも備えていることを特徴とする請求項１に記載のデータ送受信システム。
【請求項４】
前記情報処理装置がデータを送信する際に、前記ホームページ画面の前記テキストボックスに相手先メールアドレスを記入して送信した場合は、該メールアドレスへ送信した旨を通知することを特徴とする請求項１又は３に記載のデータ送受信システム。
【発明の詳細な説明】
【技術分野】
【０００１】
本発明は、データ送受信システムに関し、さらに詳しくは、送信された大量のデータを、送信元の電話番号を入力することにより取得可能なデータ送受信システムに関するものである。
【背景技術】
【０００２】
デジタルカメラやデジタルムービーカメラによって撮影されたデータやＥｘｃｅｌ・Ｗｏｒｄファイル等のパソコンで扱うことのできるデータファイルは、インターネットを利用することで自宅に居ながらにして送信したい相手に送ることができる。従来これらのファイルを送信するための方法として、１）電子メールにファイルを添付して送信する方法、２）オンラインストレージを利用してファイル共有する方法、３）ＦＴＰソフトを利用してファイル送信する方法等があり、これによりデータファイルを相手先へ送信することを実現している。
しかし、近年デジタルカメラやデジタルムービーカメラの高画質化等によって、扱うデータファイルのサイズが大きくなっており、データファイルを送信する方法１）〜３）のうち最も一般的に利用されている１）は、大容量のデータは送受信できないために利用できないという問題がある。そこで２）および３）の方法を利用することになるが、２）では、サービスを利用するためのアカウント登録や、利用する都度ログインするためのＩＤ・パスワード入力が必要である。また、３）では、相手先のＩＰアドレスを調べたり、ルータの設定を変更する等のネットワークの知識や、ＦＴＰソフトを使いこなす知識が必要という課題があり、現状では容易に相手先に大容量のデータファイルを送信することができない。
更に、２）〜３）を活用する知識がない場合は、インターネットでの送信が行なえないため、ＣＤやＤＶＤ等の大容量記録媒体に記録して郵便で送らなければならず、大容量記録媒体への記録、物品の梱包、郵便の投函等の手間がかかるといった課題がある。
【０００３】
従来技術として特許文献１には、ＩＰ電話装置間の呼接続を効率的に行うＩＰ電話装置について開示されている。このＩＰ電話装置は、ＩＰネットワークを介して１つ以上の相手方ＩＰ電話装置に対して、ピアツーピア（ｐｅｅｒ−ｔｏ−ｐｅｅｒ）方式で情報を送受信するピアツーピア通信装置と、ピアツーピア通信装置が受信した電話番号とＩＰ電話装置自体の電話番号とを照合する電話番号検索装置とを含む。ピアツーピア通信装置は、照合の結果、両者が一致する場合に限り、ＩＰ電話装置自体のＩＰアドレスを返信する。このＩＰアドレスによって、ＩＰ電話装置自体の電話番号により送信してきた相手方電話装置と呼接続を行う。
【先行技術文献】
【特許文献】
【０００４】
【特許文献１】特開２００３−１５８５５３公報
【発明の概要】
【発明が解決しようとする課題】
【０００５】
しかし、特許文献１に開示されている従来技術は、ピアツーピア通信でＩＰ電話装置自体の電話番号により、送信してきた相手方電話装置と呼接続を行うものであり、データ通信を行うことを前提としていない。
本発明は、かかる課題に鑑みてなされたものであり、発信番号、着信番号、及びデータファイルを対応付けておき、受信側から指定された発信番号と着信番号が一致した場合に、対応付けられた送信データをデータ保管サーバから取得することにより、相手の電話番号を指定するだけでデータを受信することができ、簡単な操作でデータファイルを確実に送受信することができるデータ送受信システムを提供することを目的とする。
【課題を解決するための手段】
【０００６】
本発明はかかる課題を解決するために、請求項１は、ネットワークを介して接続され、夫々に固有の電話番号及びＩＰアドレスを有する少なくとも２つの情報処理装置と、ＳＩＰプロトコルを利用して、前記電話番号を前記ＩＰアドレスと対応付けて保存するＩＰ電話サーバと、アクセスした前記情報処理装置のＩＰアドレスに対応する電話番号を前記ＩＰ電話サーバから取得し、該取得した電話番号、該情報処理装置が送信する相手の電話番号、及び送信するデータをそれぞれ対応付けて保存するデータ保管サーバと、を備えたデータ送受信システムであって、データを送信する場合は、前記情報処理装置は前記データ保管サーバへアクセスすることにより表示されるデータ送受信用のホームページ画面に、送信相手の電話番号、及び送信すべきデータを入力し、データを受信する場合は、前記情報処理装置は前記データ保管サーバへアクセスすることにより表示されるデータ送受信用のホームページ画面に、前記データを受信したい情報処理装置の電話番号を入力することを特徴とする。
本発明は、データファイルを送受信する際の操作を簡略化させる発明である。即ち、データを送信する場合は、送信側の情報処理装置は、データ保管サーバへアクセスすることにより表示されるデータ送受信用のホームページ画面に、送信相手の電話番号、及び送信すべきデータを入力し、データを受信する場合は、受信側の情報処理装置はデータ保管サーバへアクセスすることにより表示されるデータ送受信用のホームページ画面に、データを受信したい情報処理装置の電話番号を入力する。これを実現するために、ＩＰ電話サーバには、ユーザごとのＩＰアドレスと電話番号を対応付けて保存しておく。また、データ保管サーバには、発信番号、着信番号、及びデータファイルをそれぞれ対応付けて保存しておく。この操作が完了すると、受信側が受信すべきデータがあることを認識すると、ホームページ上でデータを受信したい情報処理装置の電話番号を入力することにより、自動的にデータを受信することができる。これにより、簡単な操作でデータファイルを確実に送受信することができる。また、送受信者が互いに電話番号でチェックするため、電話番号を間違って入力しても異なる相手先へ誤送信されることはない。
【０００７】
請求項２は、前記ＩＰ電話サーバは、ユーザごとの前記電話番号を前記ＩＰアドレスと対応付けて保存する電話帳データベースを備え、前記データ保管サーバは、アクセスした前記情報処理装置のＩＰアドレスに対応する電話番号を前記ＩＰ電話サーバから取得し、該取得した電話番号、該情報処理装置が送信する相手の電話番号、及び送信するデータファイルをそれぞれ対応付けて保存する保存情報データベースを備えたことを特徴とする。
データ保管サーバには、発信番号、着信番号、及びデータファイルを夫々対応付けて保存しておく必要がある。また、ＩＰ電話サーバには、ユーザごとのＩＰアドレスと電話番号を対応付けて保存しておく必要がある。従って、ユーザ数が増加した場合でも対応できるように、それぞれのサーバに大容量のデータベースが必要となる。本発明では、ＩＰ電話サーバには電話帳データベース、データ保管サーバには保存情報データベースを備える。これにより、夫々のサーバが情報管理を容易に行うことができる。
【０００８】
請求項３は、前記データ送受信用のホームページ画面は、データを送受信するための相手先電話番号を入力するテキストボックスと、前記データの送信又は受信を指示する送信ボタン、及び受信ボタンと、送受信ファイルを表示する送受信ファイルウインドウと、相手先メールアドレスを表示するテキストボックスと、を少なくとも備えていることを特徴とする。
本発明による送受信動作は、全てデータ送受信用のホームページ画面上で行うのが特徴である。即ち、操作を簡略化するには、画面操作を単純化することが重要である。その意味では、データ送受信用のホームページ画面上で操作が完了するので、情報処理装置の操作に慣れていないユーザでも操作が容易となる。また、データ送受信用のホームページ画面上には、データを送受信するための相手先電話番号と、送信か受信かを選択するボタンと、どのデータを送受信するかを選択するウインドウがある。更に連絡用のメールアドレスを入力できる。これにより、ユーザの操作性を向上させ、且つ誤操作を低減することができる。
【０００９】
請求項４は、前記情報処理装置がデータを送信する際に、前記ホームページ画面の前記テキストボックスに相手先メールアドレスを記入して送信した場合は、該メールアドレスへ送信した旨を通知することを特徴とする。
送信側は送信したいデータが発生した場合は、データ保管サーバにアクセスすることにより、保存情報データベースに発信番号、着信番号、及びデータファイルをそれぞれ対応付けることができる。しかし、受信側は、そのようなデータが送信されたか否かを知ることができない。そこで本発明では、データを送信する際に、相手先メールアドレスを記入して送信すると、その旨が受信側にメールとして通知される。これにより、受信側は、自分に送信されたデータが存在することを即座に知ることができる。
【発明の効果】
【００１０】
本発明によれば、ＩＰ電話サーバには、ユーザごとのＩＰアドレスと電話番号を対応付けて保存しておく。また、データ保管サーバには、発信番号、着信番号、及びデータファイルをそれぞれ対応付けて保存しておく。この操作が完了すると、受信側が受信すべきデータがあることを認識すると、ホームページ上でデータを受信したい情報処理装置の電話番号を入力することにより、自動的にデータを受信することができるので、簡単な操作でデータファイルを確実に送受信することができる。
また、ＩＰ電話サーバには電話帳データベース、データ保管サーバには保存情報データベースを備えるので、夫々のサーバが情報管理を容易に行うことができる。
また、データ送受信用のホームページ画面上には、データを送受信するための相手先電話番号と、送信か受信かを選択するボタンと、どのデータを送受信するかを選択するウインドウがあり、更に連絡用のメールアドレスを入力できるので、ユーザの操作性を向上させ、且つ誤操作を低減することができる。
また、データを送信する際に、相手先メールアドレスを記入して送信すると、その旨が受信側にメールで通知されるので、受信側は、自分に送信されたデータが存在することを即座に知ることができる。
【図面の簡単な説明】
【００１１】
【図１】本発明の実施形態に係るデータ送受信システムの構成を示すブロック図である。
【図２】データベースに保存されている情報を説明する図であり、（ａ）は保存情報データベースの情報を示す図であり、（ｂ）は電話帳データベースの情報を示す図である。
【図３】データ送受信用ホームページの画面イメージを示す図である。
【図４】（ａ）はダイアログボックスの一例を示す図であり、（ｂ）はデータ送信通知メールの一例を示す図である。
【図５】本発明に係るデータ送受信システムのデータ送信側の詳細な処理フローを示す図である。
【図６】本発明に係るデータ送受信システムのデータ受信側の詳細な処理フローを示す図である。
【発明を実施するための形態】
【００１２】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１３】
図１は本発明の実施形態に係るデータ送受信システムの構成を示すブロック図である。このデータ送受信システム５０は、ネットワーク（インターネット網）４を介して接続され、夫々に固有の電話番号及びＩＰアドレスを有する少なくとも２つのＰＣ（情報処理装置）１、６と、ＳＩＰプロトコルを利用して、電話番号をＩＰアドレスと対応付けて保存するＩＰ電話サーバ９と、アクセスしたＰＣ（図ではＰＣ１とする）のＩＰアドレス「１１．２２．３３．４」に対応する電話番号「０８２−１１１−２２２２」をＩＰ電話サーバ９から取得し、取得した電話番号「０８２−１１１−２２２２」、ＰＣ１が送信する相手の電話番号「０８６３−３３−４４４４」、及び送信するデータ「画像．ｊｐｇ」をそれぞれ対応付けて保存するデータ保管サーバ８と、を備え、ＰＣ１にはルータ２を介してＩＰ電話機３と接続され、ＰＣ６にはルータ６を介してＩＰ電話機７と接続されている。また、ＩＰ電話サーバ９は、ユーザごとの電話番号をＩＰアドレスと対応付けて保存する電話帳データベース１１を備え、データ保管サーバ８は、アクセスしたＰＣ１のＩＰアドレス「１１．２２．３３．４」に対応する電話番号「０８２−１１１−２２２２」をＩＰ電話サーバ９から取得し、取得した電話番号「０８２−１１１−２２２２」、ＰＣ１が送信する相手の電話番号「０８６３−３３−４４４４」、及び送信するデータファイル「画像．ｊｐｇ」をそれぞれ対応付けて保存する保存情報データベース１０を備えている。
そして、データを送信する場合は、ＰＣ１はデータ保管サーバ８へアクセスすることにより表示されるデータ送受信用のホームページ画面（図３参照）に、送信相手の電話番号「０８６３−３３−４４４４」、及び送信すべきデータ「画像．ｊｐｇ」を入力し、データを受信する場合は、ＰＣ６はデータ保管サーバ８へアクセスすることにより表示されるデータ送受信用のホームページ画面に、データを受信したいＰＣ１の電話番号「０８２−１１１−２２２２」を入力する。
【００１４】
次にデータ送受信システム５０の動作について、送信手順と受信手順に分けて説明する。尚、ＰＣ１を送信側（ユーザ甲）とし、ＰＣ６を受信側（ユーザ乙）とする。
＜送信手順＞
１）送信者の甲は、インターネット網４を経由して、データ保管サーバ８へアクセスする（矢印１２）。
２）データ送受信用のホームページ画面（図３）で、データを送信したい相手（乙）の電話番号「０８６３−３３−４４４４」と送信したいデータ「画像．ｊｐｇ」を画面に入力する（矢印１２）。
３）データ保管サーバ８は、アクセスしてきた甲のＩＰアドレス「１１．２２．３３．４」をＩＰ電話サーバ９に問い合わせる（矢印１５）。
４）ＩＰ電話サーバ９は、自身の持つ電話帳データベース１１で、甲のＩＰアドレス「１１．２２．３３．４」から甲の電話番号「０８２−１１１−２２２」を調べて、データ保管サーバ８へ返答する（矢印１６）。
５）データ保管サーバ８は、手順４）で得た甲の電話番号「０８２−１１１−２２２２」と、甲の入力した乙の電話番号「０８６３−３３−４４４４」、及び送信したいデータ「画像．ｊｐｇ」をセットにして保存情報データベース１０に登録する。
６）手順２）のデータ送受信用のホームページ画面にて、送信通知先のメールアドレスを記入して送信した場合には、（パソコンや携帯電話等の）指定されたメールアドレスへデータ送信されたことを通知する電子メールを送信する（矢印１４）。
【００１５】
＜受信手順＞
１）受信者の乙は、インターネット網４を経由してデータ保管サーバ８へアクセスする（矢印１３）。
２）データ送受信用のホームページ画面で、データを受信したい相手（甲）の電話番号「０８２−１１１−２２２２」を画面に入力する（矢印１３）。
３）データ保管サーバ８は、アクセスしてきた乙のＩＰアドレス「５５．６６．７７．８」をＩＰ電話サーバ９に問い合わせる（矢印１５）。
４）ＩＰ電話サーバ９は、自身の持つ電話帳データベース１１で、乙のＩＰアドレス「５５．６６．７７．８」から乙の電話番号「０８６３−３３−４４４４」を調べてデータ保管サーバ８へ返答する（矢印１６）。
５）データ保管サーバ８は、４）で得た乙の電話番号「０８６３−３３−４４４４」と、乙の入力した甲の電話番号「０８２−１１１−２２２２」の両方にヒットするデータを保存情報データベース１０から検索し、ヒットした場合に甲から乙に送信されたデータ「画像．ｊｐｇ」があることを乙に通知する。
６）乙はヒットしたデータ「画像．ｊｐｇ」をダウンロードしＰＣ６へ保存する（矢印１３）。
【００１６】
本発明は、データファイルを送受信する際の操作を簡略化させる発明である。即ち、データを送信する場合は、送信側のＰＣ１は、データ保管サーバ８へアクセスすることにより表示されるデータ送受信用のホームページ画面２８に、送信相手の電話番号「０８６３−３３−４４４４」、及び送信すべきデータ「画像．ｊｐｇ」を入力し、データを受信する場合は、受信側のＰＣ６はデータ保管サーバ８へアクセスすることにより表示されるデータ送受信用のホームページ画面２８に、データを受信したいＰＣ１の電話番号「０８２−１１１−２２２２」を入力する。これを実現するために、ＩＰ電話サーバ９には、ユーザ１１ａごとのＩＰアドレス１１ｂと電話番号１１ｃを対応付けて保存しておく。また、データ保管サーバ８には、発信番号１０ａ、着信番号１０ｂ、及びデータファイル１０ｃをそれぞれ対応付けて保存しておく。この操作が完了すると、受信側ＰＣ６が受信すべきデータがあることを認識すると、ホームページ上でデータを受信したいＰＣ１の電話番号「０８２−１１１−２２２２」を入力することにより、自動的にデータを受信することができる。これにより、簡単な操作でデータファイルを確実に送受信することができる。また、送受信者が互いに電話番号でチェックするため、電話番号を間違って入力しても異なる相手先へ誤送信されることはない。
【００１７】
図２はデータベースに保存されている情報を説明する図であり、（ａ）は保存情報データベースの情報を示す図であり、（ｂ）は電話帳データベースの情報を示す図である。保存情報データベース１０には、発信番号１０ａ、着信番号１０ｂ、データファイル１０ｃが対応付けて保存されている。例えば、発信番号１０ａには、ＰＣ１の電話番号「０８２−１１１−２２２２」が記憶され、着信番号１０ｂには、ＰＣ６の電話番号「０８６３−３３−４４４４」が記憶され、データファイル１０ｃには、「画像．ｊｐｇ」が記憶されている。また、他のエリアには、発信番号１０ａには、ＰＣ１の電話番号「０８２−１１１−２２２２」が記憶され、着信番号１０ｂには、他のＰＣの電話番号「０８７５−６６−６６６６」が記憶され、データファイル１０ｃには、「動画．ｗｍｖ」が記憶されている。同様にして他のエリアには、発信番号１０ａには、他のＰＣの電話番号「０８７５−５５−６６６６」が記憶され、着信番号１０ｂには、ＰＣ６の電話番号「０８６３−３３−４４４４」が記憶され、データファイル１０ｃには、「文書．ｄｏｃ」が記憶されている。
【００１８】
また、電話帳データベース１１は、ユーザ名１１ａ、ＩＰアドレス１１ｂ、及び電話番号１１ｃが対応付けて保存されている。例えば、ユーザ名１１ａには「甲」（ＰＣ１）が記憶され、ＩＰアドレス１１ｂには「１１．２２．３３．４」が記憶され、電話番号１１ｃには、「０８２−１１１−２２２２」が記憶されている。即ち、ＩＰアドレス「１１．２２．３３．４」に対応する電話番号は「０８２−１１１−２２２２」であることを示している。また、ユーザ名１１ａには「乙」（ＰＣ６）が記憶され、ＩＰアドレス１１ｂには「５５．６６．７７．８」が記憶され、電話番号１１ｃには、「０８６３−３３−４４４４」が記憶されている。即ち、ＩＰアドレス「５５．６６．７７．８」に対応する電話番号は「０８６３−３３−４４４４」であることを示している。同様にユーザ丙は、ＩＰアドレス「９．１０．１１．１２」に対応する電話番号は「０８７５−５５−６６６６」であることを示している。
即ち、データ保管サーバ８には、発信番号１０ａ、着信番号１０ｂ、及びデータファイル１０ｃを夫々対応付けて保存しておく必要がある。また、ＩＰ電話サーバ９には、ユーザ１１ａごとのＩＰアドレス１１ｂと電話番号１１ｃを対応付けて保存しておく必要がある。従って、ユーザ数が増加した場合でも対応できるように、それぞれのサーバに大容量のデータベースが必要となる。本実施形態では、ＩＰ電話サーバ９には電話帳データベース１１、データ保管サーバ８には保存情報データベース１０を備える。これにより、夫々のサーバが情報管理を容易に行うことができる。
【００１９】
図３はデータ送受信用ホームページの画面イメージを示す図である。
「相手先電話番号」テキストボックス（必須入力）２０は、データを送受信するための相手先電話番号を入力する。
［電話帳］ボタン２１は、あらかじめ登録された電話番号を格納する電話帳画面を開く。即ち、電話帳から送信先の電話番号を選択すると「相手先電話番号」テキストボックス２０へ選択した電話番号が自動で入力される。これにより、電話番号入力の手間の省力化や誤入力を防止することができる。
［送信］ボタン２２、［受信］ボタン２３は、データを送信したい場合は、送信したい相手先電話番号を入力して「送信」ボタン２２を押す。データを受信したい場合は、送信元の相手先電話番号を入力して「受信」ボタン２３を押す。
［参照］ボタン２４は、「送受信ファイル」ウインドウ２５へ登録したいファイルを調べる場合に押すことで、ファイル入力用のダイアログボックス（図４（ａ））が開く。
「送受信ファイル」ウインドウ（必須入力）２５は、送信したいデータを「参照」ボタン２４を押すと開くダイアログボックスで選択するほか、アイコンのドラック＆ドロップでもファイルを入出力することができる。
「相手先メールアドレス」テキストボックス（入力は必須ではない）２６は、データを送信したことを、受信先へ通知する場合には、通知先のメールアドレスを入力する。それにより、指定されたメールアドレスへデータ着信通知メール（図４（ｂ））が送付される。入力しない場合は、別途受信者へデータを送信した事を何らかの手段で連絡する。
［アドレス］ボタン２７は、あらかじめ登録されたメールアドレスを格納するアドレス帳画面を開く。アドレス帳から送信先のメールアドレスを選択すると、「相手先メールアドレス」テキストボックス２６へ選択した電話番号が自動で入力される。これにより、メールドレス入力の手間の省力化や誤入力を防止することができる。
【００２０】
即ち、本発明による送受信動作は、全てデータ送受信用のホームページ画面２８上で行うのが特徴である。即ち、操作を簡略化するには、画面操作を単純化することが重要である。その意味では、データ送受信用のホームページ画面２８上で操作が完了するので、ＰＣの操作に慣れていないユーザでも非常に操作が容易となる。また、データ送受信用のホームページ画面２８上には、データを送受信するための相手先電話番号２０と、送信か受信かを選択するボタン２２、２３と、どのデータを送受信するかを選択するウインドウ２５がある。更に連絡用のメールアドレスを入力できる。これにより、ユーザの操作性を向上させ、且つ誤操作を低減することができる。
また、送信側は送信したいデータが発生した場合は、データ保管サーバ８にアクセスすることにより、保存情報データベース１０に発信番号１０ａ、着信番号１０ｂ、及びデータファイル１０ｃをそれぞれ対応付けることができる。しかし、受信側は、そのようなデータが送信されたか否かを知ることができない。そこで本実施形態では、データを送信する際に、相手先メールアドレスを記入して送信すると、その旨が受信側にメールとして通知される。これにより、受信側は、自分に送信されたデータが存在することを即座に知ることができる。
【００２１】
図４（ａ）はダイアログボックスの一例を示す図であり、図４（ｂ）はデータ送信通知メールの一例を示す図である。図４（ａ）のダイアログボックスは、［参照］ボタン２４を押して、「送受信ファイル」ウインドウ２５へ登録したいファイルを調べる場合に、ファイル入力用のダイアログボックスが開く。そしてこの中から所望のファイルを選択することによりデータを確認することができる。
図４（ｂ）では、例えば、（本メールは、データ送受信サービスより送信されています。）のメッセージと共に、「データファイルを受信しましたので、以下のＵＲＬへアクセスしてデータを確認してください。」と表示され、その下にファイル数とデータサイズを表示して、アクセスするＵＲＬが表示される。ユーザはＵＲＬをクリックすることで、データを確認することができる。
【００２２】
図５は本発明に係るデータ送受信システムのデータ送信側の詳細な処理フローを示す図である。横軸に送信者ＰＣ１、データ保管サーバ８（制御部８ａ、データベース１０）、ＩＰ電話サーバ９を示し、縦軸に時系列に処理される動作を示し、お互いの関連を矢印で示す。
まず、送信者ＰＣ１がデータ送受信用のホームページ２８へアクセスする（Ｓ１）。そしてホームページが開かれると、相手先電話番号２０に受信者の電話番号を入力し（Ｓ２）、送信ボタン２２を押して送信データをアップロードする（Ｓ３）。データ保管サーバ８は、入力された受信者の電話番号をチェックしてＩＰ電話サーバ９に送り（Ｓ４）、送信者のアクセスしてきたＩＰアドレスを転送する（Ｓ５）。そのとき、ＩＰ電話サーバ９では、受信者加入と、送信者加入をチェックする。全てのチェックがＯＫであれば、ＩＰ電話サーバ９は、ＩＰアドレスから送信者の電話番号をデータ保管サーバ８に返す（Ｓ６）。データ保管サーバ８では、送受信者両方の電話番号を付加してデータを保存情報データベースに保存する（Ｓ７）。保存が完了したことを制御部８ａに通知する（Ｓ８）。また、データ送受信用のホームページ２８でメールアドレスが入力されている場合は、受信者へデータ送信されたことを受信者ＰＣ６へ電子メールで通知する（Ｓ９）。通知が完了すると制御部８ａは、送信者ＰＣ１へ送信完了通知を送信する（Ｓ１０）。
【００２３】
図６は本発明に係るデータ送受信システムのデータ受信側の詳細な処理フローを示す図である。横軸に受信者ＰＣ６、データ保管サーバ８（制御部８ａ、データベース１０）、ＩＰ電話サーバ９を示し、縦軸に時系列に処理される動作を示し、お互いの関連を矢印で示す。
まず、受信者ＰＣ６がデータ送受信用のホームページ２８へアクセスする（Ｓ２０）。そしてホームページが開かれると、相手先電話番号２０に送信者の電話番号を入力する（Ｓ２１）。データ保管サーバ８は、受信者のアクセスしてきたＩＰアドレスＩＰ電話サーバ９に送る（Ｓ２２）。そのとき、ＩＰ電話サーバ９では、受信者加入をチェックする。全てのチェックがＯＫであれば、ＩＰアドレスから受信者の電話番号を転送する（Ｓ２３）。データ保管サーバ８では、入力された送受信者両方の電話番号が合致するデータを検索し（Ｓ２４）、保存情報データベース１０に合致するデータがあれば、データ有り通知を制御部８ａに通知する（Ｓ２５）。そして、制御部８ａは、そのデータを受信者ＰＣ６に表示する（Ｓ２６）。そして受信者ＰＣ６からダウンロード指示が発せられ（Ｓ２７）、それを受けた制御部８ａは保存情報データベース１０にデータダウンロード指示を出し（Ｓ２８）、保存情報データベース１０から受信者ＰＣ６に対してダウンロードが行われる（Ｓ２９）。ダウンロードが完了すると、保存情報データベース１０からダウンロード完了の信号が制御部８ａに出されて（Ｓ３０）、受信者ＰＣ６に受信完了通知を出す（Ｓ３１）。
【符号の説明】
【００２４】
１  送信側ＰＣ、２  ルータ、３  ＩＰ電話機、４  インターネット網、５  ルータ、６  受信側ＰＣ、７  ＩＰ電話機、８  データ保管サーバ、９  ＩＰ電話サーバ、１０  保存情報データベース、１１  電話帳データベース、１２〜１６  情報ルート、  ５０  データ送受信システム
【図１】
2011180740.tif 000003
【図２】
2011180740.tif 000004
【図３】
2011180740.tif 000005
【図４】
2011180740.tif 000006
【図５】
2011180740.tif 000007
【図６】
2011180740.tif 000008